(57)【要約】【課題】外部メディアの大容量化が進んでも、外部メディアの解析時間の増大を防止することができ、再生時の音声再生可能なフォルダやトラックの膨大化を防止できる車載用再生システムを提供する。【解決手段】車載用再生システム１は、外部メディア４に音声データを含むファイルを入力可能なコンピュータ２と、接続部３３に接続された外部メディア４に記憶されたデータを解析して音声データを再生する制御部３１とを有する車載用再生装置３とを備え、コンピュータ２は外部メディア４の記憶領域を所定の記憶容量ごとに擬似的に分割し、擬似的に分割されて形成された各分割領域に音声データを含むファイルを対応づけて記憶させ、車載用再生装置３は外部メディア４の擬似的に分割されて形成された各分割領域の中から選択された分割領域についてファイルのデータを解析して音声データを再生する。【選択図】図１
2007172699.tif 000002
【特許請求の範囲】
【請求項１】
外部メディアを接続する接続部を有し、前記外部メディアに音声データを含むファイルを入力可能なコンピュータと、
外部メディアを接続する接続部と、前記外部メディアに記憶されたデータを解析して音声データを再生する制御部とを有する車載用再生装置と
を備え、
前記コンピュータは、前記接続部に接続された前記外部メディアの記憶領域を所定の記憶容量ごとに擬似的に分割し、前記擬似的に分割されて形成された各分割領域に前記音声データを含むファイルを対応づけて記憶させ、
前記車載用再生装置は、前記接続部に接続された前記外部メディアの擬似的に分割されて形成された各分割領域の中から選択された分割領域についてデータを解析し、音声データを再生することを特徴とする車載用再生システム。
【請求項２】
前記コンピュータは、前記ファイルの前記分割領域への記憶において、ファイルを記憶すると当該分割領域の記憶容量を超える場合に、当該ファイルの記憶が終了するまで当該分割領域への記憶を行い、または当該ファイルの記憶を行わずに当該分割領域への記憶を終了し、または当該分割領域への当該ファイルの記憶を行うか否かを選択可能とされていることを特徴とする請求項１に記載の車載用再生システム。
【請求項３】
前記コンピュータは、前記所定の記憶容量を設定可能とされていることを特徴とする請求項１または請求項２に記載の車載用再生システム。
【請求項４】
前記コンピュータは、前記ファイルをどの分割領域に記憶させるかを選択可能とされていることを特徴とする請求項１から請求項３のいずれか一項に記載の車載用再生システム。
【請求項５】
前記コンピュータは、設定されまたは予め決められた前記所定の記憶容量に基づいて、前記ファイルを先頭の分割領域から順番に記憶することを特徴とする請求項１から請求項３のいずれか一項に記載の車載用再生システム。
【請求項６】
前記車載用再生装置の制御部は、前記外部メディアの再生が停止された際にその停止された箇所を自ら記憶し、または、前記外部メディアのヘッダにその停止された箇所を記録して、前記外部メディアが前記車載用再生装置の接続部から取り外された後に接続された場合にリジューム再生可能とされていることを特徴とする請求項１から請求項５のいずれか一項に記載の車載用再生システム。
【請求項７】
前記車載用再生装置の制御部は、前記外部メディアが取り外され、前記コンピュータにより前記外部メディアの前回再生を停止した箇所を含む前記分割領域に変更が加えられた場合には、前記コンピュータにより前記外部メディアのヘッダに記録された変更情報に基づいて再度前記車載用再生装置に接続された前記外部メディアの前記分割領域についてイニシャル再生可能とされていることを特徴とする請求項１から請求項６のいずれか一項に記載の車載用再生システム。
【請求項８】
前記分割領域が、前記外部メディアの記憶領域を所定の記憶容量ごとに擬似的に分割して形成される代わりに、前記外部メディアの記憶領域を所定のフォルダ数またはファイル数で擬似的に分割して形成されることを特徴とする請求項１から請求項７のいずれか一項に記載の車載用再生システム。
【発明の詳細な説明】
【技術分野】
【０００１】
本発明は、車載用再生システムに関する。
【背景技術】
【０００２】
カーオーディオ等の車載用再生装置は、従来、カセットテープの読出手段を備えるものが多かったが、現在ではＣＤ（Compact Disc）ドライブやＭＤ（Mini Disc）ドライブ、内蔵ＨＤＤ（Hard Disk Drive）等の各種読出手段を備えている（例えば、特許文献１、２参照）。
【０００３】
また、近年、ＵＳＢ（Universal Serial Bus）端子を介してＵＳＢメモリやＨＤＤ等の外部メディアをＵＳＢ接続して音声データを転送して音楽等の再生を行う車載用再生装置の開発も進められている。例えば、ＵＳＢ端子を介してノート型パソコンを接続し、ノート型パソコンに記憶された音楽データ等を再生する車載用再生装置が提案されている（特許文献３参照）。
【０００４】
このように外部メディアから音声データを再生する場合、例えば、音楽ＣＤを一旦ＭＰ３（MPEG-1 Audio Layer-3）等に圧縮してパソコン等のコンピュータのＨＤＤ等に保存し、ＨＤＤ等から音声データを取り出して外部メディアに入力することが多い。
【０００５】
その際、大容量のパソコンのＨＤＤ等からファイルを１個ずつ選択して外部メディアにデータを入力することは不便であるとして、パソコンのＨＤＤ等のデータ記憶領域をＵＳＢメモリ等の外部メディアの記憶容量を分割単位として分割し、分割された区画の中からデータ転送を行う区画を選択して外部メディアに音声データを入力するデータ書き換え機能付きストレージ装置が提案されている（特許文献４参照）。
【０００６】
また、車載用再生装置では、通常、図７のフローチャートに示すように処理が行われる。すなわち、ＵＳＢメモリ等の外部メディアの記憶領域にデータがあるかないかが判断され（ステップＳ１００）、データが記憶されていなければエラーを通知して（ステップＳ１０６）再生動作を終了する。
【０００７】
記憶領域にデータがあればデータの解析を行い（ステップＳ１０１）、まだ解析していないデータがあるか否かが判断される（ステップＳ１０２）。未解析のデータがあればその車載用再生装置の解析可能なデータ量を超えていないか否かが判断され（ステップＳ１０３）、未解析のデータがなくなるまで或いは解析可能なデータ量を超えるまでデータ解析が行われる。
【０００８】
続いて、解析されたデータの中にＭＰ３等に圧縮されその車載用再生装置で再生可能な音声データがあるか否かが判断され（ステップＳ１０４）、再生可能な音声データがあればそれを再生する（ステップＳ１０５）。再生可能な音声データがなければエラーを通知して（ステップＳ１０６）再生動作を終了する。
【特許文献１】特開２００３−１５７６６５号公報
【特許文献２】特開２００４−１５１７５６号公報
【特許文献３】特開２００３−２１６２８９号公報
【特許文献４】特開２００４−１９２２９９号公報
【発明の開示】
【発明が解決しようとする課題】
【０００９】
しかしながら、近年、ＵＳＢメモリ等の外部メディアの大容量化が著しい。そのため、例えば前記特許文献４に記載のデータ書き換え機能付きストレージ装置で外部メディアにその外部メディアの記憶容量分のデータを記憶させ、その外部メディアを車載用再生装置にＵＳＢ接続して再生すると、メディアに記憶されているデータ量が車載用再生装置の解析可能なデータ量を超えてしまう可能性がある。
【００１０】
その場合、データを先頭から読み出していくタイプのＵＳＢメモリのような外部メディアでは、解析可能なデータ量以上の外部メディアのデータ部分については再生することができない。
【００１１】
また、外部メディアの大容量化によりデータの解析量が多くなるため、データ解析に時間がかかり、音声データの再生開始までに時間がかかってしまう。そのため、ユーザにストレスを与えてしまうという問題が生じる。
【００１２】
さらに、解析したデータ量が多いと、解析の結果、音声再生できるフォルダやトラック数が膨大となるため、音声再生中に次に聴きたい楽曲等をユーザが探す際に検索し難く手間がかかり、さらにユーザのストレスが倍増されるという問題もある。
【００１３】
そこで、本発明は、ＵＳＢメモリ等の外部メディアの大容量化が進んでも、外部メディアの解析時間の増大を防止することができ、再生時の音声再生可能なフォルダやトラックの膨大化を防止できる車載用再生システムを提供することを目的とする。
【課題を解決するための手段】
【００１４】
前記の問題を解決するために、請求項１の車載用再生システムは、
外部メディアを接続する接続部を有し、前記外部メディアに音声データを含むファイルを入力可能なコンピュータと、
外部メディアを接続する接続部と、前記外部メディアに記憶されたデータを解析して音声データを再生する制御部とを有する車載用再生装置と
を備え、
前記コンピュータは、前記接続部に接続された前記外部メディアの記憶領域を所定の記憶容量ごとに擬似的に分割し、前記擬似的に分割されて形成された各分割領域に前記音声データを含むファイルを対応づけて記憶させ、
前記車載用再生装置は、前記接続部に接続された前記外部メディアの擬似的に分割されて形成された各分割領域の中から選択された分割領域についてデータを解析し、音声データを再生することを特徴とする。
【００１５】
請求項２に記載の発明は、請求項１に記載の車載用再生システムにおいて、前記コンピュータは、前記ファイルの前記分割領域への記憶において、ファイルを記憶すると当該分割領域の記憶容量を超える場合に、当該ファイルの記憶が終了するまで当該分割領域への記憶を行い、または当該ファイルの記憶を行わずに当該分割領域への記憶を終了し、または当該分割領域への当該ファイルの記憶を行うか否かを選択可能とされていることを特徴とする。
【００１６】
請求項３に記載の発明は、請求項１または請求項２に記載の車載用再生システムにおいて、前記コンピュータは、前記所定の記憶容量を設定可能とされていることを特徴とする。
【００１７】
請求項４に記載の発明は、請求項１から請求項３のいずれか一項に記載の車載用再生システムにおいて、前記コンピュータは、前記ファイルをどの分割領域に記憶させるかを選択可能とされていることを特徴とする。
【００１８】
請求項５に記載の発明は、請求項１から請求項３のいずれか一項に記載の車載用再生システムにおいて、前記コンピュータは、設定されまたは予め決められた前記所定の記憶容量に基づいて、前記ファイルを先頭の分割領域から順番に記憶することを特徴とする。
【００１９】
請求項６に記載の発明は、請求項１から請求項５のいずれか一項に記載の車載用再生システムにおいて、前記車載用再生装置の制御部は、前記外部メディアの再生が停止された際にその停止された箇所を自ら記憶し、または、前記外部メディアのヘッダにその停止された箇所を記録して、前記外部メディアが前記車載用再生装置の接続部から取り外された後に接続された場合にリジューム再生可能とされていることを特徴とする。
【００２０】
請求項７に記載の発明は、請求項１から請求項６のいずれか一項に記載の車載用再生システムにおいて、前記車載用再生装置の制御部は、前記外部メディアが取り外され、前記コンピュータにより前記外部メディアの前回再生を停止した箇所を含む前記分割領域に変更が加えられた場合には、前記コンピュータにより前記外部メディアのヘッダに記録された変更情報に基づいて再度前記車載用再生装置に接続された前記外部メディアの前記分割領域についてイニシャル再生可能とされていることを特徴とする。
【００２１】
請求項８に記載の発明は、請求項１から請求項７のいずれか一項に記載の車載用再生システムにおいて、前記分割領域が、前記外部メディアの記憶領域を所定の記憶容量ごとに擬似的に分割して形成される代わりに、前記外部メディアの記憶領域を所定のフォルダ数またはファイル数で擬似的に分割して形成されることを特徴とする。
【発明の効果】
【００２２】
本発明によれば、車載用再生システムにおいて、ＵＳＢメモリ等の外部メディアの大容量化が進んでも、外部メディアの解析時間の増大を防止し、再生時の音声再生可能なフォルダやトラックの膨大化を防止することができる。
【発明を実施するための最良の形態】
【００２３】
以下、本発明に係る車載用再生システムの実施の形態について、図面を参照して説明する。
【００２４】
図１は、本実施形態に係る車載用再生システムの構成を示すブロック図である。本実施形態の車載用再生システム１は、いわゆるパソコン等のコンピュータ２とカーオーディオ等の車載用再生装置３とを備えている。
【００２５】
本実施形態では、コンピュータ２は、図示しないＣＰＵ、ＲＯＭおよびＲＡＭ等を備えて構成されている。また、コンピュータ２には、ＬＣＤ（Liquid Crystal Display）２１やキーボード２２、図示しないマウス等が接続されており、本体内蔵の記憶装置として数十〜数百ギガバイトの記憶容量を持つＨＤＤ２３が設けられている。
【００２６】
また、コンピュータ２には、外部メディア４の接続部としてＵＳＢ端子２４が設けられている。なお、外部メディア４としては、ＵＳＢ端子を介してデータの入出力が可能な記憶媒体であり、例えば、ＵＳＢメモリやポータブルＨＤＤ、ＳＤカード、メモリスティック、読み書き可能なＣＤやＤＶＤ等を挙げることができる。
【００２７】
コンピュータ２のＣＰＵは、ユーザのキーボード２２やマウスの操作による操作信号が送信されると、ＲＯＭに記録された各種制御プログラムやアプリケーションプログラム等を読み出してＲＡＭ内のプログラム格納領域に展開し、各種処理を実行して、この処理に際して生じる各種データをＲＡＭ内に形成されるワークエリア、すなわちデータ格納領域に一時的に記憶させるようになっている。
【００２８】
また、コンピュータ２は、後述するデータ書き込み処理により、外部メディア４の記憶領域を所定の記憶容量ごとに擬似的に分割し、本実施形態ではＨＤＤ２３に記憶された音声データを含むファイルを外部メディア４の前記擬似的に分割されて形成された各分割領域に対応づけて記憶させるようになっている。
【００２９】
なお、外部メディア４へのデータの書き込みは、コンピュータ２のＨＤＤ２３からのデータ転送の場合に限られず、例えば、コンピュータ２でＣＤ等の音声データを読み取ってファイルとして外部メディア４に記憶させる場合も含まれ、また、外部メディア４にすでに記憶されているファイルを改めて当該外部メディア４の擬似的に分割されて形成された各分割領域に対応づける場合も含まれる。
【００３０】
いずれの場合においても、コンピュータ２は、音声データのファイルを外部メディア４のどの分割領域に対応づけたかが記載された管理用ファイルを含む分割情報を作成し、その分割情報を外部メディア４のヘッダに記録するようになっている。分割情報には、外部メディア４の記憶領域の擬似的な分割の単位となる所定の記憶容量、すなわち分割領域の記憶容量も記録されている。
【００３１】
なお、本発明で、外部メディアの記憶領域の擬似的な分割は、外部メディア４の記憶領域を実際に物理的に分割して行われるものではなく、ファイルを外部メディア４の記憶領域に順次記憶させていきながら、そのファイルが仮想的に記憶領域を分割して形成された分割領域のどの分割領域に対応づけられたかを管理用ファイルを作成して管理されながら行われる。
【００３２】
そして、ユーザには、あたかも実際に外部メディア４の記憶領域が分割されて形成された分割領域にファイルが書き込まれる或いは書き込まれているとして処理が行われるようになっている。
【００３３】
従って、例えば、外部メディア４の記憶領域にすでに記憶されているファイルを改めて擬似的に分割されて形成された各分割領域に対応づけて記憶する場合も、外部メディア４の記憶領域内で実際にファイルの並べ替えを行う必要はなく、記憶領域内でのファイルの並びはそのままで仮想的に形成された分割領域とファイルとを対応づける管理用ファイルを作成して、擬似的に分割されて形成された分割領域にファイルが仮想的に書き込まれるようになっている。
【００３４】
車載用再生装置３には、各駆動部を制御する制御部３１が設けられており、制御部３１には、ＣＤドライブ３２等の読出手段と、外部メディア４の接続部としてのＵＳＢ端子３３と、出力部３４と、表示部３５と、操作部３６とが電気的に接続されている。
【００３５】
車載用再生装置３の制御部３１は、ＵＳＢ端子３３またはＣＤドライブ３２に外部メディア４やＣＤが挿着または装填されると、それらの外部メディアに格納された符号化音声データに付随するタグ情報の表示を行うタグ情報表示処理を行うようになっている。また、制御部３１は、符号化音声データに付随するタグ情報のヘッダを解析して、その車載用再生装置３で解析可能なメディアであるか否かの判断を行うようになっている。
【００３６】
また、制御部３１の図示しない記憶手段には、前記コンピュータ２の専用ソフトウエアに対応する読み出し用専用ソフトウエアが記憶されており、制御部３１は、外部メディア４のヘッダに記録された前記管理用ファイルを含む分割情報を読み取り、後述するデータ解析処理により、ＵＳＢ端子３３に接続された外部メディア４の前記擬似的に分割されて形成された各分割領域の中からユーザにより操作部３６を介して選択された分割領域についてデータを解析し、音声データを再生するようになっている。
【００３７】
また、制御部３１は、図示しない記憶部に記憶されたＣＤや外部メディア４の設定情報、すなわち通常再生、ランダム再生、リピート再生等のいずれの再生のさせ方をするかに基づいて記憶媒体に記憶された音声データを再生して出力部３４に送信し、また、記憶部に記憶された表示部３５に表示させる表示内容、すなわちタイムコード、曲名、アルバム名、アーティスト名、ファイル名、フォルダ名等に基づいて表示内容を表示部３５に送信するようになっている。
【００３８】
なお、本実施形態では、読出手段は、前記ＣＤドライブ３２やＵＳＢ端子３３に限定されず、この他にも例えばカセットテープやＭＤ用のドライブ、ＨＤＤ等を読み出す読出手段を備えることが可能であり、また、ＵＳＢ端子３３等の接続部を複数設けて、複数の外部メディアを接続できるように構成することも可能である。
【００３９】
出力部３４は、図示しないイヤホンやヘッドホンまたは本体に内蔵されるスピーカ等を備えて構成されており、制御部３１から送信されてきた音声データを図示しない増幅回路で増幅し、再生音声信号として外部に出力するようになっている。
【００４０】
表示部３５は、蛍光表示管等の発光手段やＬＣＤ等からなる図示しない表示画面を備えており、制御部３１から送信されてきた表示内容の情報に基づいて表示画面上にタイムコードやアーティスト名、アルバム名、ジャンル名、曲名、記憶日時、ファイル名、フォルダ名等の表示を行うように構成されている。
【００４１】
操作部３６は、再生キー、停止キー、カーソルキーなどの各種キーを備えて構成され、ユーザのキー操作による操作信号を制御部３１に出力するようになっている。操作部３６では、ソース選択によりＣＤや外部メディア４の中から音声データを読み出すべきソースを指定できるようになっている。
【００４２】
また、操作部３６では、各ソースについて前記設定情報および表示内容を選択できるようになっている。そのため、ユーザは表示部３５の表示画面を見ながら操作部３６の各種キーを操作してソース選択や設定情報、表示内容の選択等を行うことができる。
【００４３】
次に、本実施形態に係る車載用再生システム１のコンピュータ２における外部メディアへのデータ書き込み処理および車載用再生装置３におけるデータ解析処理について説明する。
【００４４】
［コンピュータにおける第１のデータ書き込み処理］
ここでは、コンピュータ２から外部メディア４へのデータ書き込みを主にコンピュータ２が自動的に行う場合のデータ書き込み処理について説明する。図２は、この第１のデータ書き込み処理を示すフローチャートである。
【００４５】
まず、ＵＳＢメモリ等の外部メディア４がＵＳＢ端子２４に接続された状態で、コンピュータ２は、ＬＣＤ２１の画面上に外部メディア４に対して本発明の容量分割を行うか否かの設定を行う画像を表示する（ステップＳ１）。
【００４６】
ここで、仮に本発明の容量分割を行わないことがユーザにより選択された場合（ステップＳ１：ＮＯ）には、ＨＤＤ２３等から外部メディア４に書き込みたい音声データを含むファイルがあるか否かの設定を行う画像を表示し（ステップＳ８）、外部メディア４に書き込みたいファイルがある場合には、外部メディア４の記憶領域に空き容量があるか否かを判定し（ステップＳ９）、すでに外部メディア４の全記憶領域にデータが記録されていて空き容量がなければ処理を空き容量がない旨を表示して終了し、空き容量があればファイルを書き込む（ステップＳ１０）。そして、書き込みたい音声データを含むファイルがなくなるまで（ステップＳ８：ＮＯ）、或いは外部メディア４の記憶領域に空き容量がなくなるまで（ステップＳ１１：ＮＯ）、ファイルの書き込みが続けられる。
【００４７】
また、本発明の容量分割を行うことがユーザにより選択された場合（ステップＳ１：ＹＥＳ）には、コンピュータ２は、自動的に予め決められた例えば２ＧＢずつ等の所定の記憶容量ごとに外部メディア４の記憶領域を擬似的に分割する（ステップＳ２）。
【００４８】
続いて、ＨＤＤ２３等から外部メディア４に書き込みたい音声データを含むファイルがあるか否かの設定を行う画像を表示し（ステップＳ３）、外部メディア４に書き込みたいファイルがある場合（ステップＳ３：ＹＥＳ）には、外部メディア４の分割領域に空き容量があるか否かを判定し（ステップＳ４）、すでに外部メディア４の全分割領域にデータが記録されていて空き容量がなければ空き容量がない旨を表示して処理を終了する。
【００４９】
分割領域に空き容量があれば空き容量がある分割領域のうち先頭側の分割領域から音声データを含むファイルを書き込んでいく（ステップＳ５）。そして、その分割領域に空き容量がある限り（ステップＳ６：ＮＯ）、その分割領域にユーザの指示によりファイルの書き込みを続ける。
【００５０】
また、その分割領域に空き容量がなくなれば（ステップＳ６：ＹＥＳ）、次の分割領域に移動して（ステップＳ７）その分割領域にユーザの指示によりファイルの書き込みを続ける。このようにしてユーザが書き込みたい音声データを含むファイルがなくなるまで（ステップＳ３：ＮＯ）、或いはファイルを書き込める分割領域がなくなるまで（ステップＳ４：ＮＯ）ファイルの書き込みが続けられる。
【００５１】
なお、図２のフローチャートでは、分割領域に空き容量がある場合、当該分割領域の所定の記憶容量を超えてもそのファイルの外部メディア４への記憶が行われる場合を示しているが、そのファイルを記憶すると当該分割領域の記憶容量を超える場合にはそのファイルの記憶を行わずに当該分割領域への記憶を終了するように構成することも可能である。
【００５２】
例えば、前記所定の記憶容量を車載用再生装置３の解析可能なデータ量に相当する記憶容量とした場合、ファイルを記憶して記憶容量を超えるとその分割領域は車載用再生装置３で解析できなくなってしまうので、そのような場合には、そのファイルを当該分割領域に記憶しないように構成する方が好ましい。
【００５３】
［コンピュータにおける第２のデータ書き込み処理］
次に、コンピュータ２から外部メディア４へのデータ書き込みを主にユーザの選択により行う場合のデータ書き込み処理について説明する。図３は、この第２のデータ書き込み処理を示すフローチャートである。
【００５４】
まず、ＵＳＢメモリ等の外部メディア４がＵＳＢ端子２４に接続された状態で、コンピュータ２は、ＬＣＤ２１の画面上に外部メディア４に対して本発明の容量分割を行うか否かの設定を行う画像を表示する（ステップＳ２０）。仮に本発明の容量分割を行わないことがユーザにより選択された場合（ステップＳ２０：ＮＯ）には、図２の※印以下のステップＳ８〜Ｓ１１の処理が行われる。
【００５５】
本発明の容量分割を行うことがユーザにより選択された場合（ステップＳ２０：ＹＥＳ）には、コンピュータ２は、分割容量、すなわち外部メディア４の記憶領域を擬似的に分割するための記憶容量を設定するための画像をＬＣＤ２１の画面上に表示してユーザによる設定を待つ（ステップＳ２１）。そして、ユーザによる分割容量の設定が行われるとその分割容量ごとに外部メディア４の記憶領域を擬似的に分割する（ステップＳ２２）。
【００５６】
なお、分割容量の設定（ステップＳ２１）において、例えば、車載用再生装置３のメーカ名や機種名等を画面上に一覧表示してユーザに外部メディア４を使用する車載用再生装置３をその一覧から選択させることで、その車載用再生装置３の解析可能なデータ量に相当する分割容量を自動設定するようにしてもよい。
【００５７】
続いて、ＨＤＤ２３等から外部メディア４に書き込みたい音声データを含むファイルがあるか否かの設定を行う画像を表示し（ステップＳ２３）、そのファイルを記憶させたい分割領域をユーザに選択させる（ステップＳ２４）。本実施形態では、これらの処理は、キーボード２２やマウスの操作によりＬＣＤ２１の画面上に表示された音声データを含むファイルを、画面上に表示された外部メディア４の各分割領域に対応するフォルダにドラッグアンドドロップすることで同時に行われるようになっている。
【００５８】
そして、コンピュータ２は、選択された外部メディア４の分割領域に空き容量があるか否かを判定し（ステップＳ２５）、その分割領域に空き容量がない場合（ステップＳ２５：ＮＯ）には、空き容量がない旨を表示してそのファイルを他の分割領域に記憶させるか否かの設定を行う画像を表示してユーザによる設定を待つ（ステップＳ２６）。
【００５９】
ユーザが他のそのファイルを分割領域に記憶させることを選択すれば（ステップＳ２６：ＹＥＳ）、再度、前記ドラッグアンドドロップによりファイルと分割領域を選択する画面に戻る（ステップＳ２４）。また、ユーザがそのファイルを記憶させることを諦めれば（ステップＳ２６：ＮＯ）、再度、外部メディア４に書き込みたい音声データを含むファイルがあるか否かの設定を行う画像表示（ステップＳ２３）に戻る。
【００６０】
また、選択された分割領域に空き容量がある場合（ステップＳ２５：ＹＥＳ）には、続いてコンピュータ２は、そのファイルが選択された分割領域に記憶されることで分割容量を超えるか否かを判断し（ステップＳ２７）、分割容量を超えない場合（ステップＳ２７：ＮＯ）には、そのファイルを選択された分割領域に記憶させて（ステップＳ２８）、再度、外部メディア４に書き込みたい音声データを含むファイルがあるか否かの設定を行う画像表示（ステップＳ２３）に戻る。
【００６１】
前記分割容量を超えるか否かの判断（ステップＳ２７）で超えると判断した場合（ステップＳ２７：ＹＥＳ）には、そのファイルを当該分割領域に記憶させると分割容量を超える旨を表示し、記憶させるか否かの設定を行う画像を表示してユーザによる設定を待つ（ステップＳ２９）。
【００６２】
そして、ファイルを記憶させる場合（ステップＳ２９：ＹＥＳ）には、そのファイルを当該分割領域に記憶させた後、また、ファイルを記憶させない場合（ステップＳ２９：ＮＯ）にはそのまま再度外部メディア４に書き込みたい音声データを含むファイルがあるか否かの設定を行う画像表示（ステップＳ２３）に戻る。
【００６３】
なお、前述したように分割容量の設定（ステップＳ２１）において車載用再生装置３の機種にあわせて分割容量を自動設定する場合、ファイルを当該分割領域に記憶させると分割容量を超える場合（ステップＳ２７：ＹＥＳ）には記憶させるか否かの判断（ステップＳ２９）は行わずにそのまま再度外部メディア４に書き込みたい音声データを含むファイルがあるか否かの設定を行う画像表示（ステップＳ２３）に戻るようにする。
【００６４】
このようにしてユーザが書き込みたい音声データを含むファイルがなくなるまで（ステップＳ２３：ＮＯ）、或いはファイルを書き込める分割領域がなくなるまでファイルの書き込みが続けられる。
【００６５】
なお、この第２のデータ書き込み処理において、分割領域に空き容量がない場合（ステップＳ２５：ＮＯ）や分割領域に空き容量はあるがそのファイルを記憶すると分割容量を超える場合（ステップＳ２７：ＹＥＳ）等に、当該分割領域にすでに記憶されているファイルを選択してそのファイルに記憶させたいファイルを上書き保存することができるように処理手順を構成することも可能である。
【００６６】
また、前記第１および第２のデータ書き込み処理において、分割領域にすでに記憶されているファイルを削除する等の通常行われる処理は、本実施形態においても行うことができる。さらに、一方のデータ書き込み処理における各処理を他方のデータ書き込み処理で行うように構成することも可能であり、適宜行われる。
【００６７】
［車載用再生装置におけるデータ解析処理］
図４は、本実施形態に係る車載用再生装置におけるデータ解析処理を示すフローチャートである。
【００６８】
前記コンピュータ２における第１または第２のデータ書き込み処理によって音声データを含むファイルが記憶された外部メディア４がＵＳＢ端子３３に接続された状態で、車載用再生装置３は、まず、外部メディア４のヘッダに記録された前記管理用ファイルを含む分割情報を読み取ってコンピュータ２により本発明に係る前記書き込み処理がなされたか否かを判断する（ステップＳ４０）。
【００６９】
ここで、本発明に係る書き込み処理がなされていないと判断すると（ステップＳ４０：ＮＯ）、車載用再生装置３は、図７に示した従来の再生方法と同様に外部メディア４の記憶領域を先頭から解析していく（ステップＳ１００〜Ｓ１０６）。
【００７０】
車載用再生装置３は、前記判断において外部メディア４に対して本発明に係る書き込み処理がなされていないと判断すると（ステップＳ４０：ＹＥＳ）、表示部３５の画面上に外部メディア４の分割領域のうちどの分割領域の再生を行うかの設定を行う画像を表示しユーザの選択を待つ（ステップＳ４１）。
【００７１】
ユーザが再生したい分割領域の選択を行うと（ステップＳ４１：ＹＥＳ）、続いて、車載用再生装置３は、選択された分割領域にデータがあるか否かを判断し（ステップＳ４２）、データが記憶されていなければエラーを通知して（ステップＳ４８）再生動作を終了する。その際、他の分割領域の選択を行わせるように分割領域選択（ステップＳ４１）に戻るように構成してもよい。
【００７２】
車載用再生装置３は、選択された分割領域にデータがあると判断すると（ステップＳ４２：ＹＥＳ）、その分割領域内のデータの解析を行い（ステップＳ４３）、まだ解析していないデータがあるか否かを判断する（ステップＳ４４）。未解析のデータがあればその車載用再生装置３の解析可能なデータ量を超えていないか否かを判断し（ステップＳ４５）、未解析のデータがなくなるまで（ステップＳ４４：ＮＯ）或いは解析可能なデータ量を超えるまで（ステップＳ４５：ＮＯ）データ解析を行う。
【００７３】
続いて、車載再生装置３は、解析されたデータの中にＭＰ３等に圧縮されその車載用再生装置３で再生可能な音声データがあるか否かを判断し（ステップＳ４６）、再生可能な音声データがあればそれを再生する（ステップＳ４７）。再生可能な音声データがなければエラーを通知して（ステップＳ４８）再生動作を終了する。或いは前述したように他の分割領域の選択を行わせるように分割領域選択（ステップＳ４１）に戻るように構成してもよい。
【００７４】
なお、再生動作において、操作部３６のキー操作により再生可能な音声データの中からユーザが再生したい音声データを選択できるように構成することも可能である。
【００７５】
以上のように、本実施形態に係る車載用再生システム１によれば、コンピュータ２で、外部メディア４の記憶領域を所定の記憶容量ごとに擬似的に分割し、この擬似的に分割されて形成された各分割領域に音声データを含むファイルを対応づけて記憶し、車載用再生装置３では、ユーザにより選択された分割領域内のデータのみを解析し音声再生する。
【００７６】
そのため、外部メディア４の記憶容量が大容量化されても、適宜分割領域の記憶容量を設定することで、車載用再生装置３におけるデータの解析時間の増大を招くことなく短時間で解析を行って音声再生を行うことができるから、ユーザが全くストレスを感ずることなく音声再生を行うことが可能となる。
【００７７】
また、車載用再生装置３では選択された分割領域の解析しか行わないから、外部メディア４の記憶容量が大容量化しても、適宜分割領域の記憶容量を設定すれば車載用再生装置３の解析可能なデータ量に相当する記憶容量を超えることがない。そのため、車載用再生装置３がスペック上の理由で比較的小さい容量のデータしか解析し再生できない場合でも、適宜分割領域の記憶容量を設定することで、外部メディア４に記憶されたすべての音声データを再生することが可能となる。
【００７８】
さらに、外部メディア４の分割領域の記憶容量が設定された記憶容量に制限されるため、その中に含まれる音声再生可能なフォルダやトラックの数も適当な数に限定される。そのため、再生可能なフォルダやトラック数の膨大化を防止することができ、ユーザが音声再生中に次に聴きたい楽曲等を探す際に検索し易くなり、膨大なフォルダ等の中から聴きたい楽曲等を見つけるのに手間がかかりユーザのストレスが倍増されるという問題も解消される。
【００７９】
なお、本実施形態の車載用再生システム１の車載用再生装置３では、外部メディア４をＵＳＢ端子３３等の接続部から一旦取り外して再度接続した場合も、前回再生を停止した箇所からの再生すなわちリジューム再生を行うことが可能であり、また、外部メディア４を取り外した際に前回再生を停止した箇所を含む分割領域に変更が加えられた場合には、再度接続された際にイニシャル再生を行うことが可能とされている。
【００８０】
具体的には、例えば、外部メディア４の再生を停止した際にその箇所と分割領域とのリジューム情報をヘッダに記録しておき、コンピュータ２によりその分割領域へのファイルやフォルダの追加や入れ替え或いは分割容量等の変更による分割領域の変更があった場合にはコンピュータ２がその旨の変更情報を外部メディア４のヘッダに記録する。
【００８１】
そして、その外部メディア４が再度車載用再生装置３に接続された際に、車載用再生装置３がそのヘッダを読み取り、リジューム情報が記録されている場合には、前回再生を停止した箇所からリジューム再生を行う。また、外部メディア４のヘッダにリジューム情報が記録されていてもその分割領域に変更が加えられたことを表す変更情報が記録されていればイニシャル再生を行う。
【００８２】
このように構成すれば、例えば、同一の車載用再生装置３を用いる場合にはユーザの利便に適い、また、外部メディア４をコンピュータ２で処理した後、元の車載用再生装置３とは異なる車載用再生装置３、すなわち例えば他の車両に搭載された車載用再生装置３に接続する場合にもリジューム再生を行うことが可能となる。
【００８３】
また、外部メディア４のヘッダにリジューム情報や変更情報を記録する代わりに、或いはそれらを記録することとあわせて、車載用再生装置３の制御部３１の記憶手段にリジューム情報を記憶させておくことでリジューム再生を行うことも可能である。
【００８４】
すなわち、例えば、車載用再生装置３の制御部３１の図示しない記憶手段をＥＥＰＲＯＭ（Electrically Erasable Programmable Read-Only Memory）等の不揮発性の記憶装置で構成し、接続部に接続された外部メディア４のデータ解析の結果と再生を停止した箇所とを記憶させておく。
【００８５】
そして、一旦外部メディア４を取り外し、コンピュータ２で処理した後、再度その外部メディア４を車載用再生装置３の接続部に接続してユーザが前回と同一の分割領域を選択した場合、車載用再生装置３は選択された分割領域のデータ解析の結果が記憶手段に記憶されている前回の結果と同一であれば、その分割領域には変更が加えられていないとして、前回再生を停止した箇所からリジューム再生を行う。また、分割領域の今回のデータ解析の結果が前回の結果と異なる場合は、その分割領域に変更が加えられたと判断してイニシャル再生を行う。
【００８６】
このように構成しても、前回停止した箇所から引き続いて楽曲等が再生され、ユーザの利便に適い、車載用再生装置３や車載用再生システム１の利便性を向上させることができる。
【００８７】
ところで、前述したように、本実施形態の車載用再生システム１では、外部メディア４の記憶領域を設定され或いは予め決められた所定の記憶容量ごとに分割領域に擬似的に分割する場合について説明したが、外部メディア４の記憶領域を所定のフォルダ数またはファイル数で擬似的に分割するように車載用再生システム１を構成することも可能である。
【００８８】
この場合、システムの構成は図１に示したとおりであるが、コンピュータ２によるデータ書き込み処理の内容が多少修正される。
【００８９】
図２に示した前記コンピュータ２による第１のデータ書き込み処理では、図５に示すように、ＵＳＢメモリ等の外部メディア４がＵＳＢ端子２４に接続された状態で、コンピュータ２は、ユーザから外部メディア４に対して記憶領域の擬似的な分割を行う旨の入力があると（ステップＳ１：ＹＥＳ）、前記のように所定の記憶容量ごとに外部メディア４の記憶領域を擬似的に分割する代わりに、自動的に予め決められた所定のファイル数やフォルダ数で外部メディア４の記憶領域を擬似的に分割する（ステップＳ１２）。
【００９０】
また、外部メディア４の分割領域へのファイルの書き込みが終了すると、分割容量を超えたか否かの判断を行う代わりに、分割領域に書き込むことができる所定のファイル数やフォルダ数を超えたか否か（ステップＳ１３）が判断される点で前記実施形態と異なる。
【００９１】
また、図３に示した前記コンピュータ２による第２のデータ書き込み処理では、図６に示すように、ＵＳＢメモリ等の外部メディア４がＵＳＢ端子２４に接続された状態で、コンピュータ２は、ユーザから外部メディア４に対して記憶領域の擬似的な分割を行う旨の入力があると（ステップＳ２０：ＹＥＳ）、ＬＣＤ２１の画面上に、前記のように分割容量を設定するための画像の代わりに、分割領域に記憶するファイル数やフォルダ数を設定するための画像を表示してユーザによる設定を待つ（ステップＳ３０）。
【００９２】
そして、ユーザによりファイル数やフォルダ数の設定が行われるとそのファイル数やフォルダ数ごとに外部メディア４の記憶領域を擬似的に分割する（ステップＳ３１）。また、ファイルを記憶させる分割領域が選択されると（ステップＳ２４：ＹＥＳ）、その選択された分割領域にファイル数やフォルダ数の空きがあるか否かを判定し（ステップＳ３２）、空きがある場合（ステップＳ３２：ＹＥＳ）には、そのファイルが選択された分割領域に記憶される点で前記実施形態と異なる。
【００９３】
このように、車載用再生システム１を、外部メディア４の記憶領域を所定のフォルダ数またはファイル数で擬似的に分割するように構成した場合も前記実施形態と同様の効果を得ることができる。
【００９４】
なお、外部メディア４の記憶領域を所定のフォルダ数またはファイル数で擬似的に分割するように構成する場合、各ファイルや各フォルダのデータ量に相当する記憶容量が異なることから、所定数のファイルやフォルダを分割領域に記憶させるとその分割領域の記憶容量が車載用再生装置３の解析可能なデータ量に相当する記憶容量を超えてしまう場合がある。
【００９５】
これを防止するために、外部メディア４の記憶領域を所定のフォルダ数またはファイル数で擬似的に分割するように構成する場合には、コンピュータ２によるデータ書き込み処理の段階で、ファイルやフォルダの記憶による分割領域の拡大をその外部メディア４を使用する車載用再生装置３の解析可能なデータ量に相当する記憶容量で制限することが好ましい。
【図面の簡単な説明】
【００９６】
【図１】本実施形態に係る車載用再生システムの構成を示すブロック図である。
【図２】本実施形態に係るコンピュータにおける第１のデータ書き込み処理を示すフローチャートである。
【図３】本実施形態に係るコンピュータにおける第１のデータ書き込み処理を示すフローチャートである。
【図４】本実施形態に係る車載用再生装置におけるデータ解析処理を示すフローチャートである。
【図５】本実施形態に係るコンピュータにおける変形された第１のデータ書き込み処理を示すフローチャートである。
【図６】本実施形態に係るコンピュータにおける変形された第２のデータ書き込み処理を示すフローチャートである。
【図７】従来の車載用再生装置におけるデータ解析処理を示すフローチャートである。
【符号の説明】
【００９７】
１  車載用再生システム
２  コンピュータ
２４  ＵＳＢ端子
３  車載用再生装置
３１  制御部
３３  ＵＳＢ端子
４  外部メディア
【図１】
2007172699.tif 000003
【図２】
2007172699.tif 000004
【図３】
2007172699.tif 000005
【図４】
2007172699.tif 000006
【図５】
2007172699.tif 000007
【図６】
2007172699.tif 000008
【図７】
2007172699.tif 000009